(57)【要約】【課題】施工性の向上、屋内面の汚れ防止、天井面の室内高、のうち少なくとも何れか１つの効果を得ることが可能な、利便性の高いユニットハウス等を提供すること。【解決手段】少なくとも天井材または屋根材を構成する上部材の下面において、柱材との接合部を下方に突設したことを特徴とする。【選択図】図１
2017125356.tif 000002
【特許請求の範囲】
【請求項１】
ユニットハウスであって、
少なくとも天井材または屋根材を構成する上部材の下面において、柱材との接合部を下方に突設してあることを特徴とする、
ユニットハウス。
【請求項２】
床材の上に前記接合部の下面が接するように上部材を配置した際に生じる、上部材と床材との間の余空間に、柱材を配置可能に構成したことを特徴とする、請求項１に記載のユニットハウス。
【請求項３】
前記突出部の突出長を、前記突出部の突出幅よりも大きくしてあることを特徴とする、請求項１または２に記載のユニットハウス。
【請求項４】
前記上部材が、上階の床材を兼ねる天井材であることを特徴とする、請求項１乃至３のうち何れか１項に記載のユニットハウス。
【請求項５】
ユニットハウスの天井材または屋根材を構成する上部材であって、
前記上部材の下面において、柱材との接合部を下方に突設してあることを特徴とする、
ユニットハウス用の上部材。
【発明の詳細な説明】
【技術分野】
【０００１】
本発明は、ユニットハウスおよびユニットハウス用の上部材に関し、より詳細には、ユニットハウスの組立効率の向上等に寄与する発明に関する。
【背景技術】
【０００２】
ユニットハウスは、住宅、事務所、倉庫または店舗などに用いられる簡易的な建築物である。
一般的なユニットハウスは、規格化された支柱や壁面パネルを箱状に組み立てて建築するものであり、組立作業や分解作業を短時間で実施できるため、仮設の建築物に対して利用されることが多い。
【０００３】
このユニットハウスのような仮設組立家屋の組立構造として、以下の特許文献１に記載のシステムが知られている。
この家屋は、最下階の床部材と最上階の天井部材との間に、下の階のその上の階の床とを兼ねる天井床部材を設け、柱部材などを内側に折り畳み可能にすることで、組立または折畳自在に構成している。
当該構造により、部材点数の低減や部材の同時運搬を可能としている。
【先行技術文献】
【特許文献】
【０００４】
【特許文献１】特開平０７−２３３５６３号公報
【発明の概要】
【発明が解決しようとする課題】
【０００５】
前記した従来のユニットハウスでは、以下に記載する問題のうち、少なくとも何れか１つに記載する問題が生じていた。
（１）接合作業が煩わしい。
天井材と柱材との接合箇所が、天井材の下面と同一面上であるため、天井材が干渉して接合作業が煩わしくなる場合がある。
（２）天井材を汚してしまう。
組立時に天井材を現場で仮置きする際、天井材の下面を、地面で汚してしまう場合がある。
（３）室内高に限界がある。
柱材を折り畳んで収容することから、自ずと柱材の最大長さが決まるため、当該柱材の長さによって室内高の限界も決まってしまう。
【０００６】
よって、本発明は、これらの問題のうち、少なくとも何れか１つの問題を解消することで、利便性の高いユニットハウスを提供することを目的の一つとするものである。
【課題を解決するための手段】
【０００７】
上記目的を達成すべくなされた本願の第１発明は、ユニットハウスであって、少なくとも天井材または屋根材を構成する上部材の下面において、柱材との接合部を下方に突設してあることを特徴とする、ユニットハウスを提供する。
また、本願の第２発明は、前記第１発明において、床材の上に前記接合部の下面が接するように上部材を配置した際に生じる、上部材と床材との間の余空間に、柱材を配置可能に構成したことを特徴とする。
また、本願の第３発明は、前記第１または第２発明において、前記突出部の突出長を、前記突出部の突出幅よりも大きくしてあることを特徴とする。
また、本願の第４発明は、前記第１乃至第３発明のうち何れかの発明において、前記上部材が、上階の床材を兼ねる天井材であることを特徴とする。
また、本願の第５発明は、ユニットハウスの天井材または屋根材を構成する上部材であって、前記上部材の下面において、柱材との接合部を下方に突設してあることを特徴とする。
【発明の効果】
【０００８】
本発明によれば、以下に記載する効果のうち、少なくとも何れか１つの効果を奏する。
（１）接合作業が容易となる。
柱材と上部材との接合位置が、上部材の下面から離れた位置となるため、作業員による接合作業時に、上部材が干渉しづらく、作業が容易となる。
（２）上部材を汚さない。
組立時に天井材を現場で仮置きしたとしても、接合部でもって、上部材の下面を浮かせた状態で上部材を支持するため、上部材が汚れることがない。
（３）室内高をより高く確保することが出来る。
接合部の突出長を長くすることで、室内高をより高くすることができる。
【図面の簡単な説明】
【０００９】
【図１】第１実施例に係るユニットハウス用の上部材の概略斜視図。
【図２】図１の上部材を用いたユニットハウスを分解収容した概略正面図。
【図３】図２のユニットハウスを組み立てた概略正面図。
【図４】第２実施例に係るユニットハウスの概略正面図。
【発明を実施するための形態】
【００１０】
以下、図面を参照しながら、本発明の実施例について説明する。
【実施例１】
【００１１】
＜１＞上部材。
はじめに、本発明に係るユニットハウス用の上部材について説明する。
図１は、本発明に係るユニットハウス用の上部材１０の概略斜視図である。
この上部材１０は、少なくともユニットハウスの天井材または屋根材を構成する部材である。
本発明に係る上部材１０の基本構造は、天井材または屋根材としての公知構造を採用すればよい。
図１に示す上部材１０は平面視して矩形状を呈した屋根材を想定しており、図示しないが、該矩形状の各辺をＨ鋼で構成し、該矩形状の短辺と平行する方向に所定間隔を設けてＣ鋼を複数配置したフレームに、適宜仕上げ加工を施している。この仕上げ加工は、面材や野地板の配置、勾配の付与、配線処理、または屋根葺きなどがある。
【００１２】
＜２＞接合部。
上部材１０の下面１１には、柱材との接合部１２を設ける。
より詳細には、接合部１２は、当該接合部１２の下端である柱材との接合箇所１２１が、上部材１０の下面１１よりも下方に突設した状態とする。
例えば、接合部１２は、短柱状の鋼材の下端に柱材との連結プレートを設けた構成とすることができる。
接合部１２の上端は、上部材１０のフレームを構成するＨ鋼同士が接続される隅部箇所に溶接等で接合されるものである。
よって、接合部１２の接合箇所１２１は、上部材１０が屋根材の場合には野地板、天井材の場合には天井面、よりも下方に位置した状態となる。
【００１３】
＜３＞収容状態。
図２に、図１に係る上部材を用いたユニットハウスの主要部材を分解して収容した状態の概略正面図を示す。
床材２０の上に上部材１０（屋根材１０ａ）を直接載せたとき、突設してある接合部１２によって、屋根材１０ａと床材２０との間には、余空間が生じている。
この余空間に柱材３０を配置することで、まとまりよく各部材を収容することができる。
【００１４】
＜３．１＞接合部の突出態様。
このとき、接合部１２における、上部材１０の下面１１から下方への突出長Ｔは、上部材１０の長辺方向への突出幅Ｂよりも長くなるように構成しておくことが望ましい。
本構成によれば、接合部１２を設けたことによる柱材２０の長さの欠損長（前記突出幅Ｂに相当）よりも、突出長Ｔの長さが上回ることから、室内高Ｈをより高く確保することができる。
また、柱材３０を上部材１０の長辺方向に収容する形式のユニットハウスにおいて、床材と柱材と上部材を単に積層しただけの構造では、柱材３０の長さ（柱長Ｌ）が、最大でも上部材１０の長辺を二分した長さに制限されるものの、この制限を超えて接合部１２による長さを加えることで、より室内高を高く構築することができる。
【００１５】
＜４＞組立状態。
図３に、図２の状態からユニットハウスを一部組み立てた状態の概略正面図を示す。本図では、屋根材１０ａ、床材２０、柱材３０以外の部材（壁材など）の図示は省略している。
床材２０の隅部に柱材３０を設置している間、屋根材１０ａはクレーンで吊り上げて、現場周辺の地面に仮置きしている場合がある。
このとき、地面に接触している箇所は接合部１２の下端面のみであり、屋根材１０ａの下面１１（野地板）は地面に浮いた状態となっているため、汚れることはない。
また、立設した４本の柱材３０に屋根材１０ａを載せて、ボルト等による結合作業を行う際、接合部１２の接合箇所１２１が屋根材１０ａの下面１１よりも下方に位置しているため、室内での作業員の結合作業が容易となり、組立作業の効率性が向上する。
【実施例２】
【００１６】
本発明は、複数階のユニットハウスにも適用することができる。
図４に、本発明の第２実施例に係るユニットハウスの概略正面図を示す。
図４（ａ）は組立前、図４（ｂ）は組立後の状態を示している。
本実施例は、２階建てのユニットハウスにおいて、本発明の上部材１０を、１階部分の天井材と、２階部分の屋根材としてそれぞれ用いたものである。
そして、１階部分の上部材１０は、２階部分の床材を兼用した、床・天井兼用材１０ｂとしている。前記床・天井兼用材１０ｂのフレームに用いる鋼材は、従来の天井材で用いる鋼材よりもサイズの大きなものを用いることが好ましい。
当該構造によれば、下階部分の天井材と上階部分の床材のフレームに別々の鋼材を用意する必要が無く、またこれらの鋼材同士を連結する作業も不要となるため、コスト削減に繋がる。
また、下階と上階の隙間が無くなるため、雨漏れリスクの大幅に軽減することができる。
また、前記床・天井兼用材１０ｂに大きなサイズの鋼材を用いることにより、内部の空間の厚みが増すため、内部の空気層による断熱効果が増し、上階部分の床が冷えにくくなる効果が期待できる。
【符号の説明】
【００１７】
１０    上部材
１０ａ  屋根材
１０ｂ  床・天井兼用材
１１    下面
１２    接合部
Ｔ      突出長
Ｂ      突出幅
１２１  接合箇所
２０    床材
３０    柱材
Ｌ      柱長
Ｈ      室内高
【図１】
2017125356.tif 000003
【図２】
2017125356.tif 000004
【図３】
2017125356.tif 000005
【図４】
2017125356.tif 000006